(57)【要約】【課題】片面印刷でも十分な記載面積を確保でき、説明文書の添付漏れを防止し、包装コストを削減できる表示片付包装箱を提供する。【解決手段】角筒状の周壁１５を形成する側板１，２，３，４と、端面を閉じる端板８，９ａ，９ｂ，９と、商品の説明文等、所要の事項を記載した表示片６とを連設した表示片付包装箱において、表示片６は、側板４に連設した継代片５を延長して形成し、表示片６の基端に切取線１２を入れ、継代片５を側板１の内側に貼り付け、表示片６を周壁１５の内側に沿ってスリーブ状に巻き込み、周壁１５に開封線１０ａ，１０ｂを入れて、その上方を蓋部１６とし、開封線１０ａ，１０ｂを切断して蓋部１６を開いたとき、表示片６の上部が周壁１５の残存部から突出し、その突出部を摘んで引き上げると、切取線１２が切断されて、表示片６を周壁１５から取り出せるようにする。【選択図】図６
2009298463.tif 000002
【特許請求の範囲】
【請求項１】
角筒状の周壁(15)を形成する側板(1,2,3,4)と、端面を閉じる端板(8,9a,9b,9)と、所要の事項を記載した表示片(6)とを連設した表示片付包装箱において、前記表示片(6)は、側板(4)に連設した継代片(5)を延長して形成し、表示片(6)の基端に切取線(12)を入れ、継代片(5)を側板(1)の内側に貼り付け、表示片(6)を周壁(15)の内側に沿ってスリーブ状に巻き込み、周壁(15)に開封線(10a,10b)を入れて、その上方を蓋部(16)とし、開封線(10a,10b)を切断して蓋部(16)を開いたとき、表示片(6)の上部が周壁(15)の残存部から突出し、その突出部を摘んで引き上げると、切取線(12)が切断されて、表示片(6)を周壁(15)から取り出せるようにしたことを特徴とする表示片付包装箱。
【請求項２】
前記周壁(15)の側板(4)に、開封線(10a,10b)に連続して、蓋部(16)の下縁をなすヒンジ線(11)を入れ、このヒンジ線(11)を軸として、蓋部(16)が揺動に伴い開くようにしたことを特徴とする請求項１に記載の表示片付包装箱。
【請求項３】
前記表示片(6)の上方に、継代片(5)を延長した内蓋片(7)を連設し、表示片(6)と内蓋片(7)との境界及び継代片(5)に内切線(13a,13b,13c)を入れ、内蓋片(7)を表示片(6)と共に蓋部(16)の内側に巻き込み、蓋部(16)を開くと、内切線(13a,13b,13c)が切断されるようにしたことを特徴とする請求項１又は２に記載の表示片付包装箱。
【発明の詳細な説明】
【技術分野】
【０００１】
この発明は、医薬品や食品、化粧品等の商品の包装に使用され、用法・用量の説明文等を記載した表示片を有する表示片付包装箱に関するものである。
【背景技術】
【０００２】
一般に、医薬品の包装箱には、外周表面に効能、用法・用量等の簡易な説明が記載されるが、詳細な説明文は、記載量が多いことから、大判の薄紙に印刷され、この説明文書が細かく折り畳まれて、包装箱に医薬品と共に収納される。
【０００３】
ところが、このように説明文書を添付する場合、包装箱とは別に説明文書を印刷する必要があり、印刷コストがかかるほか、商品の包装に際し、説明文書を挿入する工程で説明文書の添付漏れが発生するおそれがある。
【０００４】
その対策として、所要の事項を記載した表示片を有する包装箱を使用することが考えられており、この種の表示片付包装箱として、下記特許文献１には、図９に示すようなものが記載されている。
【０００５】
この表示片付包装箱は、角筒状の周壁５１を側板５２，５３から形成し、端面を端板５４で閉じ、周壁５１の一側に表示片５５を連設したものである。
【０００６】
表示片５５は、表示部５６と貼付部５７とを備え、表示部５６の裏面及び側板５２の表面に医薬品の説明文が印刷されている。表示部５６の基端には、切取線５８が入れられ、側板５３には、厚さ方向の半分程度切り込んだ円形の半切線５９が入れられている。
【０００７】
そして、包装状態において、表示部５６及び貼付部５７は、側板５２，５３の外側に巻き付けられ、貼付部５７は、半切線５９の内側で側板５３に貼り付けられている。
【０００８】
一方、医薬品の使用に際しては、貼付部５７を側板５３から引き剥がすと、側板５３の半切線５９の内側の表層が剥がれて貼付部５７の裏面に付着した状態で、表示片５５を開いて、側板５２の表面及び表示部５６の裏面の説明文を読むことができる。また、必要に応じて、切取線５８を切断し、表示片５５を周壁５１から分離することもできる。
【０００９】
【特許文献１】特開平１０−２５０７１８号公報
【発明の開示】
【発明が解決しようとする課題】
【００１０】
しかしながら、上記のような表示片付包装箱では、ブランクの両面に印刷する必要があるほか、表示片５５の貼付部５７には、説明文を印刷することができず、また、表示片５５を切り取ると、説明文が分割されてしまうという問題がある。
【００１１】
そこで、この発明は、片面印刷でも十分な記載面積を確保でき、説明文書の添付漏れを防止し、包装コストを削減できる表示片付包装箱を提供することを課題とする。
【課題を解決するための手段】
【００１２】
上記課題を解決するため、この発明は、角筒状の周壁を形成する側板と、端面を閉じる端板と、所要の事項を記載した表示片とを連設した表示片付包装箱において、前記表示片は、側板に連設した継代片を延長して形成し、表示片の基端に切取線を入れ、継代片を側板の内側に貼り付け、表示片を周壁の内側に沿ってスリーブ状に巻き込み、周壁に開封線を入れて、その上方を蓋部とし、開封線を切断して蓋部を開いたとき、表示片の上部が周壁の残存部から突出し、その突出部を摘んで引き上げると、切取線が切断されて、表示片を周壁から取り出せるようにしたのである。
【００１３】
上記構成は、周壁の側板に、開封線に連続して、蓋部の下縁をなすヒンジ線を入れ、このヒンジ線を軸として、蓋部が揺動に伴い開くものに適用するとよい。
【００１４】
また、製函及び包装時の機械適性向上等のため、表示片の上方に、継代片を延長した内蓋片を連設し、表示片と内蓋片との境界及び継代片に内切線を入れ、内蓋片を表示片と共に蓋部の内側に巻き込み、蓋部を開くと、内切線が切断されるようにするとよい。
【発明の効果】
【００１５】
この発明に係る表示片付包装箱では、表示片を周壁の内側全周に亘って設けることができ、表示片を周壁に貼り付ける必要もないので、片面印刷でも表示片に十分な記載面積を確保でき、医薬品等に必要な詳細な説明を記載できる。
【００１６】
そして、説明文書として別紙片を挿入する必要がなくなるので、説明文書の添付漏れを防止することができ、添付工程の削減により包装コストを抑制することができる。
【００１７】
また、蓋部を開いて表示片の周壁からの突出部を引き上げるだけで、表示片を容易に取り出すことができ、表示片を見やすい状態で保管しておくことができる。
【発明を実施するための最良の形態】
【００１８】
以下、この発明の実施形態を添付図面に基づいて説明する。
【００１９】
この表示片付包装箱は、図１に示すような板紙のブランクから形成される。
【００２０】
このブランクでは、側板１乃至４が順次連設され、側板１，３は幅が狭く、側板２，４は幅が広くなっている。側板４の外側には、継代片５及び表示片６が順次連設され、表示片６の上方には、継代片５から延びる内蓋片７が連設されている。側板１，３の上下端には端板８が連設され、また、側板２の上端には端板９ｂが、下端には端板９がそれぞれ連設され，側板４の上端には端板９ａが、下端には端板９がそれぞれ連設されている。
【００２１】
表示片６には、表示部６ａ，６ｂ，６ｃ，６ｄが基端側から順次設けられ、これらはそれぞれ対応する側板２，３，４，１よりやや幅が狭くなっている。内蓋片７には、表示部６ａ，６ｂの上方にそれぞれ内蓋部７ａ，７ｂが設けられ、内蓋部７ａの上端には、内蓋部７ｃが連設されている。
【００２２】
側板１，３には、側板２に向かって低くなるように傾斜した開封線１０ｂが入れられ、開封線１０ｂは、直線の切目と複数の繋部とから成るものとされている。
【００２３】
側板２には、２本の並行する開封線１０ａが入れられ、その間に引裂帯１０ｃが形成されている。引裂帯１０ｃの上側の開封線１０ａは、側板１，３の開封線１０ｂに続き、各開封線１０ａは、鉤状の切目と繋部とが断続するジッパ型とされている。
【００２４】
側板４には、側板３の開封線１０ｂに続いて水平に延びるヒンジ線１１が入れられ、ヒンジ線１１は、押罫から成るものとされている。
【００２５】
表示片６の基端となる継代片５との境界には、切取線１２が入れられ、切取線１２は、直線の下端が鉤状に曲がった切目と複数の繋部とから成るものとされている。
【００２６】
表示片６と内蓋片７との境界には、表示部６ａ，６ｂと内蓋部７ａ，７ｂとの境界に対応して、内切線１３ａ，１３ｂが入れられている。これらは、直線の切目と複数の繋部とから成るものとされ、組立状態では、それぞれ開封線１０ａ，１０ｂ及びヒンジ線１１の上方に位置するようになっている。
【００２７】
継代片５には、側板１の開封線１０ｂに一致する内切線１３ｃがヒンジ線１１に続いて入れられ、内切線１３ｃは、直線の切目と複数の繋部とから成るものとされている。内切線１３ａの継代片５側の端部は、内切線１３ｃに続くように下方へ曲げられ、表示部６ｄの上縁は、内切線１３ｂと対称とされている。
【００２８】
また、表示片６の表面には、医薬品等の説明文が詳細に印刷されている。継代片５の表面には、側板１に貼り合わせるため、接着部１４に接着剤が塗布される。
【００２９】
このブランクを、例えば、サックマシンで胴貼りする際には、まず、図１のＡ位置及びＢ位置で順次巻き込むように折り曲げ、図２に示す状態とする。
【００３０】
次に、Ｃ位置及びＤ位置で順次巻き込むように折り曲げ、側板１の裏面と継代片５の表面とを貼り合わせ、図３に示す折畳状態とする。この表示片付包装箱は、上記のような折畳状態で薬品メーカー等に出荷される。
【００３１】
そして、薬品メーカー等で商品を箱詰めする際には、カートニングマシンを用いて、図４に示すように、側板１，２等の稜部が直角をなす四角筒状の周壁１５を形成し、下方の端板８，９を順次内側へ折り曲げ、端板９同士を貼り合わせて底面を閉止する。
【００３２】
その後、商品を箱内に挿入して、上方の端板８を先に折り、内蓋部７ｃ、端板９ｂを同時に内側へ折り曲げ、次に端板９ａを内側へ折り曲げ、端板９ａ，９ｂを貼り合わせて天面を閉止し、封緘状態とする。
【００３３】
これにより、引裂帯１０ｃの上側の開封線１０ａと、これに続く開封線１０ｂ及びヒンジ線１１の上方に蓋部１６が形成される。また、周壁１５の内側に沿って表示片６がスリーブ状に巻き込まれ、蓋部１６の内面に内蓋片７が重なった状態となる。
【００３４】
このように、上記表示片付包装箱では、表示片６を周壁１５の内側全周に亘って設けることができ、表示片６を周壁１５に貼り付ける必要もないので、片面印刷でも表示片６に十分な記載面積を確保できる。
【００３５】
そして、説明文書として別紙片を挿入する必要がなくなるので、説明文書の添付漏れを防止することができ、別紙片の調達・印刷や添付工程の削減により、包装コストを抑制することができる。
【００３６】
また、ブランクにおいて、内蓋片７の内蓋部７ａ，７ｂの上縁が側板１乃至４の上縁にほぼ揃っていることから、サックマシンによる製函工程やカートニングマシンによる包装工程において、位置決めのずれ等によるトラブルが生じにくい。
【００３７】
一方、商品を購入した消費者が箱内の医薬品等を使用する際には、図５に示すように、引裂帯１０ｃを一方の端部から引っ張って切り取り、蓋部１６を引裂帯１０ｃの切断縁に指を掛けて起こすと、図６に示すように、開封線１０ｂ及び内切線１３ａ，１３ｂ，１３ｃの繋部が切断されて、蓋部１６を開くことができる。
【００３８】
このように蓋部１６を開くと、表示片６の上部が周壁１５の残存部から突出し、その突出部を摘んで表示片６を引き上げるだけで、切取線１２の繋部が切断されて、図７に示すように、表示片６を周壁１５から取り出すことができる。
【００３９】
そして、図８に示すように、表示片６の折り曲げを伸ばすと、表示片６に記載された説明文を一覧して読むことができ、その後、表示片６は、再びスリーブ状に巻き込み、図６に示すように、箱内に収納して、保管しておくことができる。
【００４０】
なお、表示片６は、上記のような医薬品等の説明文書としてだけでなく、例えば、菓子等の食品の包装において、各種広告やキャラクター等を印刷して、キャンペーン用カードとして使用する等、他の用途に活用することもできる。
【図面の簡単な説明】
【００４１】
【図１】この発明に係る表示片付包装箱のブランクを示す表面図
【図２】同上の製函時の折畳過程を示す平面図
【図３】同上の折畳状態を示す平面図
【図４】同上の包装時の封緘状態を示す斜視図
【図５】同上の開封過程を示す斜視図
【図６】同上の蓋部を開いた状態を示す斜視図
【図７】同上の表示片を取り出した状態を示す斜視図
【図８】同上の表示片を伸ばした状態を示す斜視図
【図９】従来の表示片付包装箱の（ａ）表示片を閉じた状態を示す斜視図、（ｂ）表示片を開いた状態を示す斜視図
【符号の説明】
【００４２】
１乃至４  側板
５  継代片
６  表示片
６ａ乃至６ｄ  表示部
７  内蓋片
７ａ乃至７ｃ  内蓋部
８，９ａ，９ｂ，９  端板
１０ａ，１０ｂ  開封線
１０ｃ  引裂帯
１１  ヒンジ線
１２  切取線
１３ａ乃至１３ｃ  内切線
１４  接着部
１５  周壁
１６  蓋部
【図１】
2009298463.tif 000003
【図２】
2009298463.tif 000004
【図３】
2009298463.tif 000005
【図４】
2009298463.tif 000006
【図５】
2009298463.tif 000007
【図６】
2009298463.tif 000008
【図７】
2009298463.tif 000009
【図８】
2009298463.tif 000010
【図９】
2009298463.tif 000011